(57)【要約】【課題】  タッチパネルが操作できる状態でPCを移動させるときに、自動的にタッチパネルの入力を禁止にする。【解決手段】ＰＣが移動状態であると判定する加速度の閾値を設定する。加速度の閾値を設定する目的は移動状態であることを検出する検出レベルを設定可能とすることによりユーザの利用状況に応じて適切に移動状態を検出できるようにするためである。設定の際には設定プログラムがメモリ１０５にロードされＣＰＵ１０１によって実行される。設定プログラムが起動するとディスプレイ１０３上に設定画面が表示され、この中に加速度の感度：「高」／「中」／「低」など、数段階での選択メニューが表示される。そしてユーザが何れかの感度を選択すると選択された閾値データがマイコン１０８に設けられたレジスタに格納される。    【選択図】  図１
2009087076.tif 000002
【特許請求の範囲】
【請求項１】
ディスプレイに積層されて設けられたタッチパネルを具備した携帯型電子機器において、
この携帯型電子機器の移動状態を検出する加速度センサと、
加速度センサにより検出された移動量があらかじめ設定された閾値から超えているか否かを判定する判定手段と、
移動量が前記閾値より超えていると判定された場合、前記タッチパネルからのデータ入力を禁止する制御手段と、
前記タッチパネルからのデータ入力が禁止されていることを前記ディスプレイに表示する表示手段とを具備したことを特徴とする携帯型電子機器。
【請求項２】
前記閾値をユーザに選択的に変更可能とするための設定手段を具備したことを特徴とする請求項１記載の携帯型電子機器。
【請求項３】
前記制御手段は前記タッチパネルおよびタッチパネルを動作制御するタッチパネルコントローラを省電力モードに移行させることを特徴とする請求項２記載の携帯型電子機器。
【発明の詳細な説明】
【技術分野】
【０００１】
本発明は感圧式タッチパネルを備えた携帯型電子機器に関し、特に携帯時のタッチパネルの誤操作を防止するようにしたタブレット型ノートパソコンに関するものである。
【背景技術】
【０００２】
現在、表示装置上に感圧式のタッチパネルを装備しタッチパネル上をペンなどにより操作することがデータ入力可能な携帯型電子機器が販売されている。このような携帯型電子機器はタブレットＰＣと称され、キーボード操作をしないでペン入力によりデータ入力が行われることから外出先などで携帯しながら利用することに有用なパソコンである。
【０００３】
このように携帯性に優れたタブレットＰＣではあるが携帯時であって、操作しない時には電力消費を低減させるような仕組みが従来より具備されている。例えばタッチパネル入力がユーザ操作と見做せない無効操作であるかを判定してオートパワーオフ機能を働かせるような携帯型電子機器が開示されている。
【特許文献１】特開２００３−１５７７９号公報 （図１）
【発明の開示】
【発明が解決しようとする課題】
【０００４】
しかし、上述した従来技術では、ペンタッチがない時にパワーセーブモードに移行するものであるが、ユーザが不意にペンタッチしてしまった場合にはパワーセーブモードから通常モードに戻ってしまう。或いは不意にペンタッチがなされてしまうことにより、なかなかパワーセーブモードに移行することがなく無駄な電力を消費してしまう可能性もある。
【０００５】
そこで、本発明は上述した課題を解決するために、タッチパネルが操作できる状態で移動させるときに、自動的にタッチパネルの入力を禁止にすることで誤操作を防止することができる携帯型電子機器を提供することを目的とするものである。
【課題を解決するための手段】
【０００６】
本発明は上述したような課題を解決するため、ディスプレイに積層されて設けられたタッチパネルを具備した携帯型電子機器において、この携帯型電子機器の移動状態を検出する加速度センサと、加速度センサにより検出された移動量があらかじめ設定された閾値から超えているか否かを判定する判定手段と、移動量が前記閾値より超えていると判定された場合、前記タッチパネルからのデータ入力を禁止する制御手段と、前記タッチパネルからのデータ入力が禁止されていることを表示する表示手段とを具備したものである。
【０００７】
また本発明は前記閾値をユーザに選択的に変更可能とするための設定手段を具備したものである。
【０００８】
また本発明は前記制御手段は前記タッチパネルおよびタッチパネルを動作制御するタッチパネルコントローラを省電力モードに移行させるものである。
【発明の効果】
【０００９】
本発明によればタッチパネルが操作できる状態で移動させるときに、自動的にタッチパネルの入力を禁止にすることで誤操作を防止することができ、かつ確実な省電力を実現することができる。
【発明を実施するための最良の形態】
【００１０】
以下、本発明における実施形態について図面を用いて説明する。
【００１１】
図１は本発明の一実施形態を示す携帯型電子機器であるタブレットＰＣのシステム構成図である。
【００１２】
本実施形態のタブレットＰＣ１０は、ディスプレイコントローラ１０３を介して送信された表示用データを表示するディスプレイ１０２が設けられている。そしてこのディスプレイ１０２上には感圧式の透明なタッチセンサ１０６が積層して設けられ、タッチセンサ１０６をペンなどで操作入力すると圧力センサが圧力検出し検出された位置座標データをタッチセンサコントローラ１０７に送信する。タッチセンサコントローラ１０７は受信した座標データをマイコン１０８に送信しマイコン１０８は必要に応じて座標データをブリッジ１０４を介してＣＰＵに送信し所定のデータ処理が実行される。メモリ１０９とメモリコントローラ１０５はＣＰＵのデータ処理に用いられる記憶装置で、所定のアプリケーションプログラムや、入力データがロードされてＣＰＵ１０１によってデータ処理される。本実施形態ではタブレットＰＣの移動を判定する判定プログラムや、判定プログラムの判定基準（閾値デー値）を任意に設定する設定プログラム、タッチセンサの機能の有効／無効を切り替えるプログラムなどがロードされてＣＰＵ１０１に実行される。
【００１３】
また本発明には３軸加速度センサ１１０が具備されている。この３軸加速度センサ１１０はピエゾ抵抗素子などを加速度検出に用いたセンサで、Ｘ／Ｙ／Ｚの３軸それぞれの加速度を検出するセンサである。従ってタブレットＰＣ１０をユーザが持ち運ぶなどして移動した場合には、３軸加速度センサ１１０が移動を検出する。そして検出した検出データはＡ／Ｄコンバータ１１１にてデジタル信号に変換されマイコン１０８に出力される。マイコン１０８では受信した検出信号をみてタブレットＰＣが移動している状態か否かを判定し判定結果をブリッジ１０４を介してＣＰＵ１０１に出力する。ＣＰＵ１０１は受信した判定結果に基づいてメモリ１０９に展開したタッチセンサ制御プログラムを実行することによりタッチセンサの有効／無効を切り替えるものである。
【００１４】
次に、上述したようなシステム構成である本実施形態のタブレットＰＣについての動作について図２を用いて説明する。
【００１５】
図２は本実施形態におけるタッチセンサの機能を有効／無効を切り替える切替動作を説明するためのフローチャートである。
【００１６】
まず、ステップＳ２００においてＰＣが移動と判定する加速度の閾値を設定する。加速度の閾値を設定する目的は移動状態であることを検出する検出レベルを設定可能とすることによりユーザの利用状況に応じて適切に移動状態を検出できるようにするためである。
【００１７】
設定の際には設定プログラムがメモリ１０５にロードされＣＰＵ１０１によって実行される。設定プログラムが起動するとディスプレイ１０３上に設定画面が表示され、この中に加速度の感度：「高」／「中」／「低」など、数段階での選択メニューが表示される。そしてユーザが何れかの感度を選択すると選択された閾値データがマイコン１０８に設けられたレジスタに格納される。さらに設定プログラムでは加速度センサの機能自体、つまり移動検出機能自体を利用するか利用しないか（機能ＯＮ／ＯＦＦ）を選択できる選択メニューを用意し、ここで選択された情報についてもマイコン１０８のレジスタに格納される。
【００１８】
次に上述した設定プログラムで「移動検出機能ＯＮ」とした場合（ステップＳ２０１のＹ）にステップＳ２０２へ進む。
【００１９】
ステップＳ２０２では、タブレットＰＣ１０の移動状況を検出するために加速度の監視を開始する。具体的にはマイコン１０８が自身のレジスタに格納された設定情報を参照して「移動検出機能ＯＮ」であること判定したことに応じて３軸加速度センサ１１０の駆動指示を出し３軸加速度センサ１１０が駆動開始する。
【００２０】
そして３軸加速度センサ１１０はタブレットＰＣの移動に伴って３軸それぞれの加速度データをアナログ出力し出力したアナログ信号をＡ／Ｄコンバータ１１１でデジタル信号へ変換してマイコン１０８にて移動量を演算する。
【００２１】
演算内容の例として、３軸分の加速度Ａｘ、Ａｙ、Ａｚの合成ベクトルＡを以下計算式により求める。
【００２２】
Ａ＝√（Ａｘ２＋Ａｙ２＋Ａｚ２）［単位（ｇ）］
尚、３軸加速度センサの向きにかかわらず静止状態でＡの値は必ず１ｇになるという法則を利用すれば、ステップＳ２００での設定プログラムによる閾値設定例として以下が挙げられる。
【００２３】
閾値を（１−Δ）≦Ａ≦（１＋Δ）と定義し、
（１）Ａが閾値の範囲内にあるとき、ＰＣは移動していないと判定する（ステップＳ２０５へ）。
（２）Ａが閾値の範囲外にあるとき、ＰＣは移動していると判定する（ステップＳ２０４へ）。
【００２４】
但しΔの値を変更することにより、感度を変更できる。（Δの値が小さいほど、感度＝高）
次にステップＳ２０３において、マイコン１０８内で、あらかじめ設定してある閾値データマイコン１０８で演算された移動量データとの比較を実施し以下の通り判定する。
【００２５】
ａ．演算結果が閾値に達した場合・・・・ＰＣは移動していると判定する。
【００２６】
ｂ．演算結果が閾値に達しない場合・・・ＰＣは移動していないと判定する。
【００２７】
次にステップＳ２０３において「ＰＣは移動していると判定」した場合（ステップＳ２０４）、現在のタッチセンサ１０６の入力許可状況を確認し入力許可中であれば（ステップＳ２０６のＹ）タッチセンサ１０６を入力禁止に変更し、タッチセンサが入力禁止状態であることをディスプレイ１０２へ表示する。
【００２８】
一方、現在のタッチセンサ１０６が入力禁止中の場合（ステップＳ２０６のＮ）は現状維持し入力禁止を継続する（ステップＳ２０３）。
【００２９】
この時、タッチセンサ１０６の入力禁止に変更する際には、タッチセンサコントローラ１０９から出力されるデータをマイコン１０８でブロックし、Ｂｒｉｄｇｅ１０４へ転送しないようにすることで実現できる。またはタッチセンサ１０６とタッチセンサコントローラ１０７をノーマルモードからスリープモードへ移行することにより駆動停止させることでも可能である。
【００３０】
次にＰＣが移動していないと判定された場合（ステップＳ２０３のＹおよびステップＳ２０５）、現在のタッチセンサ１０６の入力許可状況を確認し、入力許可中の場合（ステップＳ２０７のＹ）には現状維持して入力許可を継続し、入力禁止中の場合（ステップＳ２０７のＮ）には、タッチセンサ１０６を入力許可に変更し、タッチセンサが入力許可状態にあることをディスプレイ１０２へ表示する。このときタッチセンサ１０６入力許可に変更する際には、例えばタッチセンサコントローラ１０７からのデータをマイコン１０８でブロックせずに、Ｂｒｉｄｇｅ１０４へ転送することで実現可能である。
【００３１】
以上説明したように本実施形態によれば、タッチパネルが操作できる状態でPCを移動させるときに、自動的にタッチパネルの入力を禁止にすることで誤操作を防止できる。また、移動検出の閾値をユーザーが設定できるようにし、閾値を変化させることで、移動に対して敏感に反応させたり、本機能をOFFにすることができるようになる。さらにタッチパネルおよびタッチパネルコントローラをスリープモードに移行することをタッチパネル入力禁止手段とした場合、電源オフ状態（Ｓ０ステート）にあるＰＣ移動中の省電力効果が期待できる。
【図面の簡単な説明】
【００３２】
【図１】本発明の一実施形態を示すタブレットＰＣのシステム構成図である。
【図２】同実施例のるタッチセンサの機能を有効／無効を切り替える切替動作を説明するためのフローチャートである。
【符号の説明】
【００３３】
１０…タブレットＰＣ、１０１…ＣＰＵ、１０２…ディスプレイ、１０３…ディスプレイコントローラ、１０４…ブリッジ、１０５…メモリコントローラ、１０６…タッチセンサ、１０７…タッチセンサコントローラ、１０８…マイコン、１０９…メモリ、１１０…３軸加速度センサ、１１１…Ａ／Ｄコンバータ。
【図１】
2009087076.tif 000003
【図２】
2009087076.tif 000004